(57)【要約】【課題】光センサーへの侵入光の影響を抑制できる光源装置を提供する。【解決手段】光源装置は、混色光を射出する複数の光源２０と、各光源２０の射出光を一つの光路３０ａに合成する光合成部３０と、光源２０毎に設けられ、該光源２０からの第１の光２０ａと、他の光源２０からの第２の光２０ｂとを、それぞれ受光し、該受光した光の各色成分の光量を検出する光センサー４０と、各光源２０の点灯動作を制御する制御部１と、を有する。制御部１０は、光源２０毎に、第１の光２０ａと第２の光２０ｂの両方を受光した状態における光センサー４０の各色成分の検出値に対する、第１の光２０ａまたは第２の光２０ｂを受光した状態における光センサー４０の各色成分の検出値の比率を取得し、全ての光源２０を点灯させた状態で、各光センサー４０の各色成分の検出値を上記比率に基づいて補正する。【選択図】図１
2019175782.tif 000002
【特許請求の範囲】
【請求項１】
複数の色成分を含む混色光を射出する複数の光源と、
前記複数の光源のそれぞれの射出光を一つの光路に合成する光合成部と、
前記光源毎に設けられ、該光源から射出された第１の光と、該光源以外の光源である他の光源から射出され、前記光路に合成されることなく前記光合成部を通過した第２の光とを、それぞれ光学部材を介して受光し、該受光した光を前記複数の色成分に分離し、各色成分の光量を検出する光センサーと、
前記複数の光源の点灯動作を制御し、前記複数の光源を全て点灯させた動作状態で、前記光源毎に、該光源に設けられた前記光センサーの各色成分の検出値に基づいて、該光源の色温度を調整する制御部と、を有し、
前記制御部は、
前記光源毎に、前記第１の光と前記第２の光の両方を受光した状態における前記光センサーの各色成分の検出値に対する、前記第１の光または前記第２の光を受光した状態における前記光センサーの各色成分の検出値の比率を取得し、前記動作状態における、各光源に設けられた前記光センサーの各色成分の検出値を前記比率に基づいて補正する、光源装置。
【請求項２】
前記制御部は、
前記光源毎に、該光源と前記他の光源を全て点灯させ、前記光センサーの各色成分の第１の検出値を取得し、前記他の光源のみを点灯させ、前記光センサーの各色成分の第２の検出値を取得し、
前記比率が、前記第１の検出値に対する前記第２の検出値の比率である、請求項１に記載の光源装置。
【請求項３】
前記制御部は、
前記光源毎に、該光源と前記他の光源を全て点灯させ、前記光センサーの各色成分の第１の検出値を取得し、該光源のみを点灯させ、前記光センサーの各色成分の第２の検出値を取得し、
前記比率が、前記第１の検出値に対する前記第２の検出値の比率である、請求項１に記載の光源装置。
【請求項４】
請求項１乃至３のいずれか一項に記載の光源装置と、
入力映像信号に基づいて前記光源装置の射出光を変調して画像を形成する画像形成部と、
前記画像形成部で形成された画像を投写する投写光学系と、を有する、プロジェクタ。
【請求項５】
複数の色成分を含む混色光を射出する複数の光源と、各光源の射出光を一つの光路に合成する光合成部と、前記光源毎に設けられ、該光源から射出された第１の光と、該光源以外の光源である他の光源から射出され、前記光路に合成されることなく前記光合成部を通過した第２の光とを、それぞれ光学部材を介して受光し、該受光した光を前記複数の色成分に分離し、各色成分の光量を検出する光センサーと、を有する、光源装置の色温度調整方法であって、
前記複数の光源を全て点灯させた動作状態で、前記光源毎に、該光源に設けられた前記光センサーの各色成分の検出値に基づいて、該光源の色温度を調整し、
前記光源毎に、前記第１の光と前記第２の光の両方を受光した状態における前記光センサーの各色成分の検出値に対する、前記第１の光または前記第２の光を受光した状態における前記光センサーの各色成分の検出値の比率を取得し、前記動作状態における、各光源に設けられた前記光センサーの各色成分の検出値を前記比率に基づいて補正することを含む、色温度調整方法。
【請求項６】
複数の色成分を含む混色光を射出する複数の光源と、各光源の射出光を一つの光路に合成する光合成部と、前記光源毎に設けられ、該光源から射出された第１の光と、該光源以外の光源である他の光源から射出され、前記光路に合成されることなく前記光合成部を通過した第２の光とを、それぞれ光学部材を介して受光し、該受光した光を前記複数の色成分に分離し、各色成分の光量を検出する光センサーと、を有する、光源装置のコンピュータに、
前記複数の光源を全て点灯させた動作状態で、前記光源毎に、該光源に設けられた前記光センサーの各色成分の検出値に基づいて、該光源の色温度を調整する手順と、
前記光源毎に、前記第１の光と前記第２の光の両方を受光した状態における前記光センサーの各色成分の検出値に対する、前記第１の光または前記第２の光を受光した状態における前記光センサーの各色成分の検出値の比率を取得し、前記動作状態における、各光源に設けられた前記光センサーの各色成分の検出値を前記比率に基づいて補正する手順と、を実行させるためのプログラム。
【発明の詳細な説明】
【技術分野】
【０００１】
本発明は、光源装置、プロジェクタ、色温度調整方法及びプログラムに関する。
【背景技術】
【０００２】
光源装置の射出光（白色）を赤色成分（Ｒ）、緑色成分（Ｇ）及び青色成分（Ｂ）に分離し、各色成分の光を変調した画像を投写するプロジェクタが知られている。このプロジェクタにおいて、適正なホワイトバランスを維持するために、光源装置の射出光の色温度を調整する色温度調整が行われる。
【０００３】
特許文献１には、色温度の調整が可能なプロジェクタが記載されている。このプロジェクタは、光源ユニット及び制御部を有する。光源ユニットは、Ｒ色光源、Ｇ色光源、Ｂ色光源、色合成手段及び光センサーを有する。色合成手段は、Ｒ色光源、Ｇ色光源及びＢ色光源のそれぞれの射出光を一つの光路に合成する。光センサーは、色合成手段の射出光（白色光）の一部を受光し、ＲＧＢの各色成分の光量を検出する。制御部は、光センサーの各色成分の検出値に基づいて、色合成手段の射出光の各色成分の光量比が所定の値になるように、Ｒ色光源、Ｇ色光源及びＢ色光源の点灯動作を制御する。
【０００４】
最近のプロジェクタの中には、高輝度化のために、色温度の調整が可能な複数の光源を備えたプロジェクタがある。このプロジェクタでは、光センサーが光源毎に設けられており、プリズム等の光合成部が、各光源の射出光（白色光）を１つの光路に合成する。制御部は、全ての光源を点灯させた状態で、光源毎に、光センサーの各色成分の検出値に基づいて各色成分の光量比を調整する。
【先行技術文献】
【特許文献】
【０００５】
【特許文献１】特開２００７−６５０１２号公報
【発明の概要】
【発明が解決しようとする課題】
【０００６】
しかしながら、色温度の調整が可能な複数の光源の射出光を光合成部で１つの光路に合成するプロジェクタには、以下のような問題がある。
光源から射出された光の一部は、そのまま光合成部を通過して、侵入光として他の光源に設けられた光センサーに入射する。このため、光センサーの各色成分の検出値は、他の光源からの侵入光の成分（誤差）を含む。よって、光源の射出光を所望の色温度に正確に調整することができない。
【０００７】
特許文献１に記載のプロジェクタにおいては、光センサーへの侵入光の影響は考慮されていない。よって、光合成部を用いて複数の光源ユニットの射出光を１つの光路に合成する場合には、上記と同様の問題を生じる。
【０００８】
本発明の目的は、上記問題を解決でき、光センサーへの侵入光の影響を抑制することができる、光源装置、プロジェクタ、色温度調整方法及びプログラムを提供することにある。
【課題を解決するための手段】
【０００９】
上記目的を達成するため、本発明の光源装置は、
複数の色成分を含む混色光を射出する複数の光源と、
前記複数の光源のそれぞれの射出光を一つの光路に合成する光合成部と、
前記光源毎に設けられ、該光源から射出された第１の光と、該光源以外の光源である他の光源から射出され、前記光路に合成されることなく前記光合成部を通過した第２の光とを、それぞれ光学部材を介して受光し、該受光した光を前記複数の色成分に分離し、各色成分の光量を検出する光センサーと、
前記複数の光源の点灯動作を制御し、前記複数の光源を全て点灯させた動作状態で、前記光源毎に、該光源に設けられた前記光センサーの各色成分の検出値に基づいて、該光源の色温度を調整する制御部と、を有し、
前記制御部は、
前記光源毎に、前記第１の光と前記第２の光の両方を受光した状態における前記光センサーの各色成分の検出値に対する、前記第１の光または前記第２の光を受光した状態における前記光センサーの各色成分の検出値の比率を取得し、前記動作状態における、各光源に設けられた前記光センサーの各色成分の検出値を前記比率に基づいて補正する。
【００１０】
本発明のプロジェクタは、
上記の光源装置と、
入力映像信号に基づいて前記光源装置の射出光を変調して画像を形成する画像形成部と、
前記画像形成部で形成された画像を投写する投写光学系と、を有する。
【００１１】
本発明の色温度調整方法は、
複数の色成分を含む混色光を射出する複数の光源と、各光源の射出光を一つの光路に合成する光合成部と、前記光源毎に設けられ、該光源から射出された第１の光と、該光源以外の光源である他の光源から射出され、前記光路に合成されることなく前記光合成部を通過した第２の光とを、それぞれ光学部材を介して受光し、該受光した光を前記複数の色成分に分離し、各色成分の光量を検出する光センサーと、を有する、光源装置の色温度調整方法であって、
前記複数の光源を全て点灯させた動作状態で、前記光源毎に、該光源に設けられた前記光センサーの各色成分の検出値に基づいて、該光源の色温度を調整し、
前記光源毎に、前記第１の光と前記第２の光の両方を受光した状態における前記光センサーの各色成分の検出値に対する、前記第１の光または前記第２の光を受光した状態における前記光センサーの各色成分の検出値の比率を取得し、前記動作状態における、各光源に設けられた前記光センサーの各色成分の検出値を前記比率に基づいて補正することを含む。
【００１２】
本発明のプログラムは、
複数の色成分を含む混色光を射出する複数の光源と、各光源の射出光を一つの光路に合成する光合成部と、前記光源毎に設けられ、該光源から射出された第１の光と、該光源以外の光源である他の光源から射出され、前記光路に合成されることなく前記光合成部を通過した第２の光とを、それぞれ光学部材を介して受光し、該受光した光を前記複数の色成分に分離し、各色成分の光量を検出する光センサーと、を有する、光源装置のコンピュータに、
前記複数の光源を全て点灯させた動作状態で、前記光源毎に、該光源に設けられた前記光センサーの各色成分の検出値に基づいて、該光源の色温度を調整する手順と、
前記光源毎に、前記第１の光と前記第２の光の両方を受光した状態における前記光センサーの各色成分の検出値に対する、前記第１の光または前記第２の光を受光した状態における前記光センサーの各色成分の検出値の比率を取得し、前記動作状態における、各光源に設けられた前記光センサーの各色成分の検出値を前記比率に基づいて補正する手順と、を実行させるように構成されている。
【発明の効果】
【００１３】
本発明によれば、光センサーへの侵入光の影響を抑制することができ、光源の射出光の色温度を正確に調整することができる。
【図面の簡単な説明】
【００１４】
【図１】本発明の第１の実施形態による光源装置の構成を示すブロック図である。
【図２】本発明の第２の実施形態による光源装置の構成を示すブロック図である。
【図３】一方の光源ユニットの射出光の一部が、直角プリズムを透過して、他方の光源ユニット内に侵入する様子を示す模式図である。
【図４】光センサーの補正値取得処理の一手順を示すフローチャートである。
【図５】光源ユニットの色温度調整処理の一手順を示すフローチャートである。
【図６】本発明の他の実施形態であるプロジェクタの構成を示すブロック図である。
【発明を実施するための形態】
【００１５】
次に、本発明の実施形態について図面を参照して説明する。
（第１の実施形態）
図１は、本発明の第１の実施形態による光源装置の構成を示すブロック図である。
図１を参照すると、光源装置は、制御部１０、複数の光源２０、光合成部３０、及び、複数の光センサー４０を有する。
【００１６】
各光源２０は、同じ構成であって、複数の色成分を含む混色光を射出する。例えば、光源２０は、電流の供給を受けて、赤色成分（Ｒ）、緑色成分（Ｇ）および青色成分（Ｂ）を含む混色光（白色光）を射出し、供給電流量に応じて各色成分の光量および割合が変化するように構成されている。
光合成部３０は、各光源２０の射出光を一つの光路３０ａに合成する。光合成部２０は、例えば、直角プリズムやＶ字ミラーなどを用いて構成することができる。
【００１７】
光センサー４０は、光源２０毎に設けられている。光センサー４０は、光源２０から射出された第１の光２０ａと、該光源２０以外の光源である他の光源２０から射出され、光路３０ａに合成されることなく光合成部３０を通過した第２の光２０ｂとを、それぞれ光学部材を介して受光する。光センサー４０は、受光した光を各色成分に分離し、各色成分の光量を検出する。第２の光２０ｂは、他の光源２０からの侵入光である。光学部材は、入射光の一部を透過し、残りを反射するような特性を備えるものであって、例えば反射ミラーからなる。
【００１８】
制御部１０は、複数の光源２０の点灯動作を制御する。制御部１０は、複数の光源２０を全て点灯させた第１の動作状態で、光源２０毎に、該光源２０に設けられた光センサー４０の各色成分の検出値に基づいて、該光源２０の色温度を調整する。例えば、制御部１０は、光源２０の射出光の色温度が所定の値になるように、光源２０に供給される電流量を制御しても良い。
また、制御部１０は、光源２０毎に、第１の光２０ａと第２の光２０ｂの両方を受光した状態における光センサー４０の各色成分の検出値に対する、第１の光２０ａまたは第２の光２０ｂを受光した状態における光センサー４０の各色成分の検出値の比率に基づいて、第１の動作状態における光センサー４０の各色成分の検出値を補正する。
【００１９】
本実施形態の光源装置によれば、以下のような作用効果を奏する。
複数の光源２０を全て点灯させる第１の動作状態では、光センサー４０は、光源２０からの第１の光２０ａと他の光源２０からの第２の光２０ｂ（侵入光）の両方を受光する。このため、光センサー４０の各色成分の検出値には、侵入光の成分（誤差）が含まれる。
本実施形態では、第１の光２０ａと第２の光２０ｂの両方を受光した状態における光センサー４０の各色成分の検出値に対する、第１の光２０ａまたは第２の光２０ｂを受光した状態における光センサー４０の各色成分の検出値の比率に基づいて、第１の動作状態における光センサー４０の各色成分の検出値を補正する。これにより、光センサー４０の検出値から侵入光の成分（誤差）を取り除くことができ、光源２０の射出光の色温度を正確に調整することができる。
【００２０】
本実施形態の光源装置において、制御部１０は、光源２０毎に、該光源２０と他の光源２０を全て点灯させ、光センサー４０の各色成分の第１の検出値を取得し、他の光源２０のみを点灯させ、光センサー４０の各色成分の第２の検出値を取得しても良い。この場合、制御部１０は、第１の検出値に対する第２の検出値の比率に基づいて、第１の動作状態における光センサー４０の各色成分の検出値を補正する。
また、本実施形態の光源装置において、制御部１０は、光源２０毎に、該光源２０と他の光源２０を全て点灯させ、光センサー４０の各色成分の第１の検出値を取得し、該光源２０のみを点灯させ、光センサー４０の各色成分の第２の検出値を取得しても良い。この場合、制御部１０は、第１の検出値に対する第２の検出値の比率に基づいて、第１の動作状態における光センサー４０の各色成分の検出値を補正する。
【００２１】
さらに、本実施形態の光源装置において、光合成部３０は、第１および第２の光源の光源像を同じ結像面における異なる領域に結像する光学系であっても良い。この光学系は、第１の光源２０からの第１の光束を結像面に向けて反射する第１の反射面と、第２の光源２０からの第２の光束を結像面に向けて反射する第２の反射面と、を備える反射素子を有する。第１および第２の反射面と直交する面に垂直な方向から見た場合に、第１および第２の反射面の接合部である頂角部分が、第１の反射面に入射する第１の光束および第２の反射面に入射する第２の光束の最外周部分よりも内側に配置されている。反射素子は、例えば、直角プリズムやＶ字ミラーなどである。
上記の場合、第１の光源２０の射出光の一部が、反射素子を通過して侵入光として第２の光源２０側の光センサー４０に入射する。同様に、第２の光源２０の射出光の一部が、反射素子を通過して侵入光として第１の光源２０側の光センサー４０に入射する。
【００２２】
（第２の実施形態）
図２は、本発明の第２の実施形態による光源装置の構成を示すブロック図である。
図２を参照すると、光源装置は、光源ユニット１、２、制御部３、及び、直角プリズム４を有する。
【００２３】
光源ユニット１、２は、複数の色成分を含む混色光（例えば、白色光）を射出する光源の一例である。
光源ユニット１は、ドライバー１１、レーザー素子１２、反射ミラー１３及び光センサー１４を有する。ドライバー１１は、レーザー素子１２に駆動電流を供給する。レーザー素子１２は、ドライバー１１から電流の供給を受けて、赤色成分（Ｒ）、緑色成分（Ｇ）および青色成分（Ｂ）を含む混色光（白色光）を射出し、供給電流量に応じて各色成分の光量および割合が変化するように構成されている。例えば、レーザー素子１２は、レーザーダイオード（ＬＤ）等の複数のレーザー光源から構成されても良く、また、レーザー光源と蛍光体を組み合わせた構成であっても良い。
【００２４】
反射ミラー１３は、入射光の一部を透過し、残りを反射するような特性を備えた光学部材の一例である。反射ミラー１３は、レーザー素子１２の射出光を直角プリズム４に向けて反射する。
光センサー１４は、反射ミラー１３の背面（レーザー素子１２の射出光が入射する面とは反対の面）側に配置されている。光センサー１４は、反射ミラー１３を透過した光を受光し、受光した光をＲＧＢの各色成分に分離し、各色成分の光量を検出する。光センサー１４は、各色成分の光量を検出した結果を示す検出信号を制御部３に送信する。
【００２５】
光源ユニット２は、光源ユニット１と基本的に同じ構成である。光源ユニット２は、ドライバー２１、レーザー素子２２、反射ミラー２３及び光センサー２４を有する。これらドライバー２１、レーザー素子２２、反射ミラー２３及び光センサー２４は、上記のドライバー１１、レーザー素子１２、反射ミラー１３及び光センサー１４と同じであるので、ここでは、それらの詳細な説明は省略する。
【００２６】
直角プリズム４は、複数の光源の射出光を一つの光路に合成する光合成部の一例である。直角プリズム４は、互いのなす角度が直角である、第１の面４ａ及び第２の面４ｂを有する。光源ユニット１の射出光（反射ミラー１３からの反射光）が略４５°の入射角で第１の面４ａに入射し、光源ユニット２の射出光（反射ミラー２３からの反射光）が略４５°の入射角で第２の面４ｂに入射する。第１の面４ａ及び第２の面４ｂは、光源ユニット１、２の射出光を同じ方向に向けて反射する。第１の面４ａ及び第２の面４ｂからの反射光が一つの光路を形成するように、直角プリズム４及び光源ユニット１、２が配置されている。
【００２７】
なお、光源ユニット１の射出光の一部は、直角プリズム４を透過して、光源ユニット２内に侵入する。図３に、光源ユニット１の射出光の一部が、直角プリズム４を透過して、光源ユニット２内に侵入する様子を模式的に示す。
図３に示すように、光源ユニット１の射出光の一部は、第１の面４ａから直角プリズム４内に入射する。直角プリズム４では、第１の面４ａから入射した光は、第２の面４ｂから反射ミラー２３に向けて射出される。第２の面４ｂからの射出光は侵入光であり、その一部は、反射ミラー２３を透過して光センサー２４に入射する。
【００２８】
光源ユニット１と同様、光源ユニット２の射出光の一部も、直角プリズム４を透過して、光源ユニット１内に侵入する。直角プリズム４では、第２の面４ｂから入射した光は、第１の面４ａから反射ミラー１３に向けて射出される。第１の面４ａからの射出光は侵入光であり、その一部は、反射ミラー１３を透過して光センサー１４に入射する。
【００２９】
再び、図１を参照する。制御部３は、ＣＰＵ（Central Processing Unit）等からなり、光源ユニット１、２それぞれと相互に通信可能である。制御部３と光源ユニット１、２との間の通信には、例えば、ＵＡＲＴ（Universal Asynchronous Receiver/Transmitter）やＳＰＩ（Serial Peripheral Interface）などを用いたシリアル通信を適用できる。
制御部３は、ドライバー１１、２１の電流供給動作（レーザー素子１２、２２の点灯動作）を制御し、レーザー素子１２、２２を共に点灯させた状態で、光源ユニット１、２それぞれに対して色温度調整処理を行う。具体的には、制御部３は、光センサー１４の各色成分の検出値に基づいて、レーザー素子１２の射出光の色温度が所定の値になるようにドライバー１１の電流供給動作を制御する。制御部３は、光センサー２４の各色成分の検出値に基づいて、レーザー素子２２の射出光の色温度が所定の値になるようにドライバー２１の電流供給動作を制御する。
【００３０】
レーザー素子１２の色温度調整において、光センサー１４には、レーザー素子１２からの光だけでなく、光源ユニット２からの侵入光も入射する。このため、制御部３は、光センサー１４の各色成分の検出値に対して、侵入光の影響を取り除くための補正を行う。これと同様に、制御部３は、光センサー２４の各色成分の検出値に対して、侵入光の影響を取り除くための補正を行う。
【００３１】
以下、光センサー１４、２４の補正処理及び光源ユニット１、２の色温度調整処理について、具体的に説明する。
まず、光センサー１４、２４の補正値を取得する処理を説明する。
図４は、光センサーの補正値取得処理の一手順を示すフローチャートである。図４において、小文字の「ｘ」は光源ユニットの番号を示す。
【００３２】
まず、制御部３は、変数を設定する（ステップＳ１０）。「LUx_INT_R」、「LUx_INT_G」、「LUx_INT_B」はそれぞれ侵入光のＲ成分、Ｇ成分、Ｂ成分を示す。「LUx_FULL_R」、「LUx_FULL_G」、「LUx_FULL_B」はそれぞれ、全光源ユニットを点灯させた状態で光源ユニットｘの光センサーで計測される光のＲ成分、Ｇ成分、Ｂ成分を示す。「LUx_RATIO_R」、「LUx_RATIO_G」、「LUx_RATIO_B」はそれぞれ、光源ユニットｘの光センサーで計測したＲ成分、Ｇ成分、Ｂ成分の光量を基準にした侵入光量のＲ成分、Ｇ成分、Ｂ成分の比率値を示す。制御部３は、全ての変数に初期値である「０」を代入する。
【００３３】
次に、制御部３は、光源ユニットｘを除く他の光源ユニットを全て最大出力で点灯させる（ステップＳ１１）。
次に、制御部３は、光源ユニットｘの光センサーで、ＲＧＢの各色成分を検出させる。そして、制御部３は、光源ユニットｘの光センサーで検出したＲ光値、Ｇ光値、Ｂ光値をそれぞれ、「LUx_INT_R」、「LUx_INT_G」、「LUx_INT_B」に代入する（ステップＳ１２）。
【００３４】
次に、制御部３は、光源ユニットｘを含む全ての光源ユニットを最大出力で点灯させる（ステップＳ１３）。
次に、制御部３は、光源ユニットｘの光センサーで、ＲＧＢの各色成分を検出させる。そして、制御部３は、光源ユニットｘの光センサーで検出したＲ光値、Ｇ光値、Ｂ光値をそれぞれ、「LUx_FULL_R」、「LUx_FULL_G」、「LUx_FULL_B」に代入する（ステップＳ１４）。
【００３５】
最後に、制御部３は、「LUx_INT_R」のＲ光値を「LUx_FULL_R」のＲ光値で割った値をＲ成分の比率値として「LUx_RATIO_R」に代入する。同様に、制御部３は、「LUx_INT_G」のＧ光値を「LUx_FULL_G」のＧ光値で割った値をＧ成分の比率値として「LUx_RATIO_G」に代入し、「LUx_INT_B」のＢ光値を「LUx_FULL_B」のＢ光値で割った値をＢ成分の比率値として「LUx_RATIO_B」に代入する（ステップＳ１５）。
上記のステップＳ１０〜Ｓ１５の処理を、図２に示した光源ユニット１、２について行うことで、光センサー１４、２４それぞれの補正値として、「LUx_RATIO_R」、「LUx_RATIO_G」、「LUx_RATIO_B」を得る。
【００３６】
次に、光源ユニット１、２の色温度調整処理について説明する。
図５は、光源ユニットの色温度調整処理の一手順を示すフローチャートである。図４と同様、図５においても、小文字の「ｘ」は光源ユニットの番号を示す。
【００３７】
まず、制御部３は、光源ユニットｘを含む全ての光源ユニットを最大出力で点灯させる（ステップＳ２０）。
次に、制御部３は、光源ユニットｘの光センサーで、ＲＧＢの各色成分を検出させる（ステップＳ２１）。
【００３８】
次に、制御部３は、光源ユニットｘの光センサーで検出したＲ光値、Ｇ光値、Ｂ光値をそれぞれ図４のステップＳ１５で取得した「LUx_RATIO_R」、「LUx_RATIO_G」、「LUx_RATIO_B」を用いて補正する。具体的には、制御部３は、ステップＳ２１で検出したＲ光値に、「1-LUx_RATIO_R」を乗じた値を「LUx_R」とする。同様に、制御部３は、Ｇ光値に「1-LUx_RATIO_G」を乗じた値を「LUx_G」とし、Ｂ光値に「1-LUx_RATIO_B」を乗じた値を「LUx_B」とする（ステップＳ２２）。
【００３９】
最後に、制御部３は、ステップＳ２２で取得した「LUx_R」、「LUx_G」、「LUx_B」に基づいて、光源ユニットｘの射出光の色温度が所定の値になるように、光源ユニットｘのレーザー素子に供給される電流を調整する（ステップＳ２３）。
上記のステップＳ２０〜Ｓ２３の処理を、図２に示した光源ユニット１、２について行うことで、光センサー１４、２４の検出値から侵入光の成分（誤差）を取り除くことができる。その結果、光源ユニット１、２の射出光の色温度を正確に算出することができ、光源ユニット１、２の射出光を所望の色温度で維持することが可能となる。
【００４０】
なお、上述した図４及び図５の処理は、任意のタイミングで、又は、定期的に行われても良い。例えば、光源装置の電源投入時又は起動時に上述した図４及び図５の処理が行われても良い。
本実施形態の光源装置において、２つの光源ユニット１、２を用いているが、光源ユニットの数は３個以上であっても良い。直角プリズム等からなる光合成部を用いて、複数の光源ユニットの射出光を１つの光路に合成する構成を適用することが可能である。
【００４１】
また、本実施形態の光源装置において、光源ユニット１、２の光源像を同じ結像面における異なる領域に結像するように、直角プリズム４を含む光合成部を構成しても良い。例えば、光合成部は、第１の両側テレセントリック光学系、第２の両側テレセントリック光学系及び直角プリズム４を含む。
光源ユニット１の射出光は、第１の両側テレセントリック光学系を介して直角プリズム４の第１の面４ａに入射する。第１の両側テレセントリック光学系の光軸と第１の面４ａとのなす角度は４５°である。光源ユニット２の射出光は、第２の両側テレセントリック光学系を介して直角プリズム４の第２の面４ｂに入射する。第２の両側テレセントリック光学系の光軸と第２の面４ｂとのなす角度は４５°である。
【００４２】
直角プリズム４は、第１の面４ａと第２の面４ｂとで形成される頂角部にて、光源ユニット１、２の射出光（光束）にケラレが生じるように配置される。具体的には、第１の面４ａと第２の面４ｂと直交する面に垂直な方向から見た場合に、第１の面４ａと第２の面４ｂの接合部である頂角部分が、第１の面４ａに入射する光束および第２の面４ｂに入射する光束の最外周部分よりも内側に配置される。この場合、頂角部分を通過した光（ケラレ部分に相当する）が侵入光となる。
【００４３】
上記の光合成部において、直角プリズム４に代えてＶ字ミラーを用いても良い。Ｖ字ミラーは、第１の面４ａに対応する第１の反射面と、第２の面４ｂに対応する第２の反射面とを有する。第１及び第２の反射面が互いに直角をなし、第１及び第２の反射面からの反射光が一つの光路を形成するように、Ｖ字ミラーが配置される。第１及び第２の反射面の接合部である頂角部分が、第１の反射面に入射する光束および第２の反射面に入射する光束の最外周部分よりも内側に配置される。この場合、頂角部分を通過した光（ケラレ部分に相当する）が侵入光となる。
上記の光合成部は、第１の実施形態の光源装置にも適用することができる。
【００４４】
（他の実施形態）
図６に、本発明の他の実施形態であるプロジェクタの構成を示すブロック図である。
図６を参照すると、プロジェクタは、光源装置５０、画像形成部５１及び投写レンズ５２を有する。光源装置５０は、上述した第１又は第２の実施形態の光源装置である。
【００４５】
画像形成部５１は、入力映像信号Ｓ１に基づいて光源装置５０の射出光を変調して画像を形成する。具体的には、画像形成部５１は、光源装置５０の射出光である白色光を複数の色光に分離し、各色光を空間的／時間的に変調して画像を形成する表示パネルを有する。表示パネルとして、ＤＭＤ（デジタルミラーデバイス）や液晶表示パネルなどを用いることができる。投写レンズ５２は、画像形成部５１で形成した画像を投写面上に拡大投写する。
【００４６】
以上、実施形態を参照して本発明を説明したが、本発明は上述したような実施形態に限定されものではない。本発明の構成や詳細については、本発明のスコープ内で当業者が理解し得る様々な変更が可能である。
また、第１及び第２の実施形態では、本発明をハードウェアの構成として説明したが、本発明は、これに限定されるものではない。本発明は、光源装置の制御部が行う処理内容を手順として記述したコンピュータプログラム（以下、プログラムと称する）をＣＰＵに実行させることにより実現することも可能である。ここで、ＣＰＵは、プログラムが記録された記録媒体から読み込まれたプログラムを実行するコンピュータとして動作するものである。
【００４７】
このプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）に格納され、コンピュータへ供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−Ｒ、ＣＤ−Ｒ／Ｗ、ＤＶＤ（Ｄｉｇｉｔａｌ  Ｖｅｒｓａｔｉｌｅ  Ｄｉｓｃ）、Ｂｌｕ−ｒａｙ（登録商標）  Ｄｉｓｃ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）がコンピュータに供給するものであっても良い。一時的なコンピュータ可読媒体の例は、電気信号、光信号、および電磁波を含む。一時的なコンピュータ可読媒体は、電線及び光ファイバ等の有線通信路、または無線通信路を介して、プログラムをコンピュータへ供給できる。
【符号の説明】
【００４８】
１０  制御部
２０  光源
２０ａ  第１の光
２０ｂ  第２の光
３０  光合成部
３０ａ  光路
４０  光センサー
【図１】
2019175782.tif 000003
【図２】
2019175782.tif 000004
【図３】
2019175782.tif 000005
【図４】
2019175782.tif 000006
【図５】
2019175782.tif 000007
【図６】
2019175782.tif 000008